(57)【要約】【課題】容易に携行可能な柄香炉を提供する。【解決手段】香２を薫香するための香炉部１０と、香炉部１０に取り付けられる柄２０と、を備えた柄香炉１であって、柄２０は、香炉部１０を取り付けるための取付部２２ａを有し、香炉部１０と柄２０の取付部２２ａとを磁力により着脱可能に取り付けるための永久磁石４０を備えた。【選択図】図２
2015119753.tif 000002
【特許請求の範囲】
【請求項１】
香を薫香するための香炉部と、前記香炉部に取り付けられる柄と、を備えた柄香炉であって、
前記柄は、前記香炉部を取り付けるための取付部を有し、
前記香炉部と前記柄の取付部とを磁力により着脱可能に取り付けるための永久磁石を備えたことを特徴とする柄香炉。
【請求項２】
前記香炉部は、前記柄の取付部上に載置された状態で取り付けられ、
前記柄の取付部と前記香炉部の底部とは、少なくとも一方が磁性体を含み、前記永久磁石が前記磁性体に対して吸引力を及ぼすことを特徴とする請求項１に記載の柄香炉。
【請求項３】
前記香炉部は、前記柄の取付部上に載置された状態で取り付けられ、
前記永久磁石は、前記柄の取付部に設けられた第１の永久磁石と、前記香炉部の底部に設けられた第２の永久磁石と、を含み、
前記第１の永久磁石と前記第２の永久磁石が互いに吸引力を及ぼすことを特徴とする請求項１に記載の柄香炉。
【請求項４】
前記柄は、
使用者が握ることが可能な水平方向に延びる把持部と、
前記把持部の一端側から下方に延びる脚部と、
前記把持部の他端側において、前記把持部の下面に取り付けられる台座部と、を備え、
前記柄香炉を床面に配置したときに、前記脚部と前記台座部によって前記柄香炉が支持されることを特徴とする請求項１に記載の柄香炉。
【請求項５】
前記柄は、
使用者が握ることが可能な水平方向に延びる把持部と、
前記把持部の一端側から下方に延びる第１脚部と、
前記把持部の他端側から下方に延びる第２脚部と、を備え、
前記柄香炉を床面に配置したときに、前記第１脚部と前記第２脚部によって前記柄香炉が支持されることを特徴とする請求項１に記載の柄香炉。
【請求項６】
前記柄は、
使用者が握ることが可能な水平方向に延びる把持部と、
前記把持部の一端側から下方に延びる第１脚部と、
前記把持部の他端側から下方に延びる第２脚部と、
前記第２脚部の下端側から前記把持部に対して反対側へ水平方向に延びる延長部と、を備え、
前記延長部が前記取付部を含み、
前記柄香炉を床面に配置したときに、前記第１脚部と前記延長部、又は、前記第１脚部と前記取付部に載置された前記香炉部の脚部によって前記柄香炉が支持されることを特徴とする請求項１に記載の柄香炉。
【請求項７】
前記香炉部は、凹部を有する香炉本体容器と、この香炉本体容器の凹部内に配置される内部香炉容器と、を備え、前記内部香炉容器内に香を配置して薫香可能であり、
前記内部香炉容器は、前記香炉本体容器に対して着脱可能に構成されていることを特徴とする請求項１に記載の柄香炉。
【発明の詳細な説明】
【技術分野】
【０００１】
本発明は柄香炉に関する。
【背景技術】
【０００２】
従来、香炉に柄が取り付けられた柄香炉は、アジアの仏教儀式等に使用されており、一般の人々には馴染みが少なく、宗教儀式に限定して使用されてきた。
【発明の概要】
【発明が解決しようとする課題】
【０００３】
このような柄香炉は、使用が限定的であるため、市場に供される製品の種類が少なく、比較的重く、大きなものとなっていた。携行用の柄香炉もあるが、大きさ等の点で満足のいくものではなく、携行に不便であった。
【０００４】
一方、近年、葬儀や法事を寺院や個人宅で行わず、葬儀場、墓地の管理事務所等で行うことが普通になっているため、元来、葬儀や法事のときに必ず使用していた柄香炉が使用されなくなってきた。このため、葬儀や法事が荘厳さを欠くようになってきた。
【０００５】
そこで、本出願人は、携行可能で且つ薫香中に立ち消えを起こし難い柄香炉を提案している（特願２０１３−０４６３９３）。しかしながら、柄香炉は、そもそも長尺で重量のある用具であるため、携行するには形状的に不便であり、改善の余地があった。
【０００６】
本発明は、このような課題を解決するためになされたものであり、容易に携行可能な柄香炉を提供することを目的としている。
【課題を解決するための手段】
【０００７】
上述した課題を解決するために、本発明は、香を薫香するための香炉部と、香炉部に取り付けられる柄と、を備えた柄香炉であって、柄は、香炉部を取り付けるための取付部を有し、香炉部と柄の取付部とを磁力により着脱可能に取り付けるための永久磁石を備えている。
このように構成された本発明では、香炉部と柄とを永久磁石による磁力によって、着脱可能とすることができる。磁力による着脱は簡単であるので、組み立て及び分解が容易である。したがって、持ち運びの際には分解状態として鞄等に収納できるので、葬儀や法事等の際の携行を容易とすることができる。また、使用場所では分解された香炉部と柄とを永久磁石によって即座に組み立て、使用に供することができる。
また、最近では、香を生活に取り入れてアロマを楽しむことが増えてきており、本発明のように、分離可能で簡易な柄香炉は一般の人々にも抵抗感なく受け入れられる。その際、薫香中に手で持てないほど本体部分が熱せられる場合であっても、本発明の柄香炉は持ち運びが容易である。
【０００８】
また、本発明において好ましくは、香炉部は、柄の取付部上に載置された状態で取り付けられ、柄の取付部と香炉部の底部とは、少なくとも一方が磁性体を含み、永久磁石が磁性体に対して吸引力を及ぼす。
このように構成された本発明では、永久磁石と磁性体とが磁気吸引力を及ぼし合うことにより、柄と香炉部とを磁気的に吸着させることができる。
【０００９】
また、本発明において好ましくは、香炉部は、柄の取付部上に載置された状態で取り付けられ、永久磁石は、柄の取付部に設けられた第１の永久磁石と、香炉部の底部に設けられた第２の永久磁石と、を含み、第１の永久磁石と第２の永久磁石が互いに吸引力を及ぼす。
このように構成された本発明では、第１の永久磁石と第２の永久磁石とが磁気吸引力を及ぼし合うことにより、柄と香炉部とを磁気的に吸着させることができる。
【００１０】
また、本発明において好ましくは、柄は、使用者が握ることが可能な水平方向に延びる把持部と、把持部の一端側から下方に延びる脚部と、把持部の他端側において、把持部の下面に取り付けられる台座部と、を備え、柄香炉を床面に配置したときに、脚部と台座部によって柄香炉が支持される。
【００１１】
また、本発明において好ましくは、柄は、使用者が握ることが可能な水平方向に延びる把持部と、把持部の一端側から下方に延びる第１脚部と、把持部の他端側から下方に延びる第２脚部と、を備え、柄香炉を床面に配置したときに、第１脚部と第２脚部によって柄香炉が支持される。
【００１２】
また、本発明において好ましくは、柄は、使用者が握ることが可能な水平方向に延びる把持部と、把持部の一端側から下方に延びる第１脚部と、把持部の他端側から下方に延びる第２脚部と、第２脚部の下端側から把持部に対して反対側へ水平方向に延びる延長部と、を備え、延長部が取付部を含み、柄香炉を床面に配置したときに、第１脚部と延長部、又は、第１脚部と取付部に載置された香炉部の脚部によって柄香炉が支持される。
【００１３】
また、本発明において好ましくは、香炉部は、凹部を有する香炉本体容器と、この香炉本体容器の凹部内に配置される内部香炉容器と、を備え、内部香炉容器内に香を配置して薫香可能であり、内部香炉容器は、香炉本体容器に対して着脱可能に構成されている。
このように構成された本発明によれば、香炉部において、内部香炉容器内に香を配置して薫香することができるので、香炉本体容器は必ずしも難燃性の部材で構成しなくてもよくなる。このため、香炉本体容器は、木材，紙，プラスチック，セラミック，金属，ガラス，石等で形成することができる。
【発明の効果】
【００１４】
本発明によれば、携行に適した柄香炉を提供することができる。
【図面の簡単な説明】
【００１５】
【図１】本発明の第１実施形態による柄香炉の斜視図である。
【図２】本発明の第１実施形態による柄香炉の分解斜視図である。
【図３】本発明の第１実施形態による柄香炉の部分断面図である。
【図４】本発明の第１実施形態による柄香炉の改変例に係る香炉部の部分断面図である。
【図５】本発明の第１実施形態による柄香炉の改変例に係る香炉部の部分断面図である。
【図６】本発明の第２実施形態による柄香炉の側面図である。
【図７】本発明の第３実施形態による柄香炉の側面図である。
【図８】本発明の第４実施形態による柄香炉の側面断面図である。
【発明を実施するための形態】
【００１６】
先ず、図１乃至図３を参照して、本発明の第１実施形態の柄香炉を説明する。
図１に示すように、本実施形態の柄香炉１は、香２を薫香するための香炉部１０と、香炉部１０に取り付けられる柄２０と、香炉部１０を柄２０に取り付けるための取付手段である永久磁石４０とを備えている。永久磁石４０は、円板状に形成されたネオジウム磁石である。
【００１７】
図２に示すように、香炉部１０は、香炉本体１１と、香炉本体１１内に着脱可能に配置される内部香炉１５とを備えている。
香炉本体１１は、金属の磁性材料からなる金属ケースであり、有底円筒状の香炉本体容器１２と、香炉本体容器１２の上部開口を塞ぐための蓋体１４とを備えている。香炉本体容器１２は、底部の下側面に４本の脚部１２ａが下方に突出するように設けられている。薫香中、蓋体１４は香炉本体容器１２から取りはずされる。
【００１８】
内部香炉１５は、難燃性材料で形成され、内部に香２を配置して薫香可能である。本実施形態では、内部香炉１５は、有底円筒状の内部香炉容器１６と、内部香炉容器１６の上部開口を塞ぐための蓋体１８と、内部香炉容器１６内に配置された薫香装置１９とを備えている。内部香炉容器１６と蓋体１８は、セラミック製である。内部香炉容器１６は、底部の下側面に円筒状の脚部１６ａが設けられている。薫香中、蓋体１８は内部香炉容器１６から取りはずされる。
【００１９】
薫香装置１９は、その上面に香２を載置する略円形の載置部と、この載置部の周縁から下方に延びる側面部とを備えた金網からなる部材である。薫香装置１９は、香２の立ち消えを防止するように、内部香炉容器１６の底部の上側面から側面部の高さだけ離間した状態に載置部が位置する。
なお、薫香装置１９は、金網で構成することに限定されず、例えば、香の立ち消えを防止するように剣山で構成してもよく、この場合は、剣山が内部香炉容器１６内に配置され、剣山の多数の針上に香２が配置される。
【００２０】
柄２０は、柄本体２１と、柄本体２１を支持する台座部３０とを備えている。柄本体２１は、薫香中に使用者が柄香炉１を持ち運ぶために把持する把持部２２と、把持部２２の一端側から下方へ延びる脚部２３とを備えている。本実施形態では、柄本体２１は、細長い金属等の磁性材料からなる平板（例えば、鋼板）をＬ字型に折り曲げて形成されている。また、脚部２３の長さは台座部３０の高さとほぼ等しい。このため、図３に示すように柄香炉１を床面に配置したときに、把持部２２は、床面との間に使用者の指を挿入するだけの空間を介して、床面に対してほぼ水平に延びる状態に保持される。
【００２１】
台座部３０は、把持部２２の下面に対して着脱可能に構成されている。図３に示すように、台座部３０は、略三角錐状の中空の台座本体３１と、台座本体３１の頂部から上方へ延びる軸部３２と、軸部３２の上側に配置された有底円筒状の保持部３３と、保持部３３内に配置された円板状の永久磁石３４とを備えている。軸部３２は、台座本体３１の頂部に固定されている。
【００２２】
永久磁石３４及び保持部３３の底部には、それぞれ中央部に貫通孔が設けられている。軸部３２には雌ネジ孔が形成されている。したがって、永久磁石３４及び保持部３３の貫通孔を貫通したネジ３６が、軸部３２に設けられた雌ネジ孔に螺合することにより、永久磁石３４及び保持部３３が台座本体３１に固定されている。また、永久磁石３４の貫通孔のネジ挿入側の端部には、ネジ３６のネジ頭が永久磁石３４の上面から突出せずに永久磁石３４内に隠れるように、ネジ頭の形状に合わせて拡径部分が形成されている。
【００２３】
台座部３０は、永久磁石３４による磁気吸引力により、柄２０の把持部２２の他端側（図１−図３の右側）の領域である取付部２２ａ（図２参照）の下面に着脱可能に取り付けられる。
なお、本実施形態では、柄本体２１と台座部３０とが別部品であり、台座部３０が柄本体２１の取付部２２ａに対して磁力によって着脱可能に構成されているが、これに限らず、柄２０は、柄本体２１と台座部３０とが一体に固定された状態の単一部品であってもよい。
【００２４】
また、香炉部１０は、柄２０の柄本体２１の取付部２２ａの上面に永久磁石４０を介して載置される。この永久磁石４０により、柄２０と香炉部１０は磁気吸引力により一体に取り付けられる。
なお、本実施形態では、香炉部１０と柄２０とが別体であるので、香炉部１０は、永久磁石４０を用いて、把持部２２の上面において長手方向の任意の位置に配置可能である。しかしながら、安定性の面から、香炉部１０を台座部３０の略上方に位置するように、香炉部１０及び台座部３０を柄本体２１の取付部２２ａに取り付けることが好ましい。また、永久磁石４０は、１枚の薄板状の磁石であってもよいし、高さ調整可能なように複数枚の薄板状の磁石から構成されていてもよい。
【００２５】
次に、本実施形態の柄香炉１の使用について説明する。
本実施形態では、柄香炉１の持ち運びの際に、香炉部１０と柄２０とを分離して持ち運ぶことができる。これにより、長尺な形状を有する柄２０を香炉部１０から分離して鞄内等で嵩張らないように別々に収容することができるので、使用場所までの持ち運びを容易にすることができる。
また、使用場所では、柄本体２１の取付部２２ａの下面に台座部３０を磁気吸引力で取り付け、さらに永久磁石４０を介して香炉部１０を取付部２２ａの上面に磁気吸引力で容易に取り付けることができる。香炉部１０は、内部に薫香装置１９が組み込まれた内部香炉容器１６を香炉本体容器１２内に予め配置しておくか、香炉本体容器１２を柄本体２１に取り付けた後に内部香炉容器１６を香炉本体容器１２内に配置すればよい。よって、本実施形態の柄香炉１は、極めて短時間で組み立てることが可能である。
【００２６】
また、使用中は、組み立てられた柄香炉１を床面に安定的に配置することができる。また、使用中に使用者が柄２０の把持部２２を掴んで柄香炉１を持ち運ぶこともできる。その際、香炉部１０は、柄２０に対して永久磁石４０によってしっかりと吸い付けられているので、香炉部１０の落下のおそれなく、安定的に柄香炉１を持ち運ぶことができる。
さらに、使用終了後は、香炉部１０を柄２０から取外して、必要により内部の灰の処理を行うことができる。香炉部１０は、内部香炉容器１６を香炉本体容器１２から取り出して、香炉本体１１と内部香炉１５とを別々に持ち帰ってもよいし、一体にした状態で持ち帰ってもよい。また、柄２０は、柄本体２１と台座部３０とを取外してそれぞれ持ち帰ってもよいし、一体の状態で持ち帰ってもよい。さらに、永久磁石４０は、単体で持ち帰ってもよいし、香炉部１０又は柄２０にくっつけたまま持ち帰ってもよい。
【００２７】
このように、本実施形態の柄香炉１は、香炉部１０及び柄２０を永久磁石４０により、容易に分離状態から組み立て状態にすることができ、また、容易に組み立て状態から各部品へ分離することができる。また、使用中は、永久磁石４０による強固な磁気吸引力により、香炉部１０を柄２０に安定的に保持することができる。
【００２８】
次に、図４及び図５を参照して、本発明の改変例に係る香炉部について説明する。
上記実施形態では、永久磁石４０が香炉部１０と別体であったが、これに限らず、永久磁石４０を香炉部１０と一体に構成してもよい。
図４（ａ）に示す改変例では、香炉部１１０が、非磁性体であるセラミック製の香炉本体容器１１２を備えている。香炉本体容器１１２内には図１の実施形態と同様な内部香炉容器１６が配置されている。香炉本体容器１１２は、有底円筒状の本体部１１２ａと、本体部１１２ａの底部から下方へ延びる円筒状の脚部１１２ｂとを備えている。本実施形態では、永久磁石４０は、本体部１１２ａの底部の下側面に接着剤１１２ｃを介して接着されている。永久磁石４０の厚さは、脚部１１２ｂの長さ以上に設定されており、永久磁石４０は柄本体２１の取付部２２ａの上面に当接した状態で、香炉部１１０と柄２０とを磁気吸引力で取り付けることができる。
なお、永久磁石４０の厚さが脚部１１２ｂの長さ未満である場合は、永久磁石４０と柄本体２１とは当接しないが、この構成においても、香炉部１１０を柄本体２１上に磁気吸引力により保持することが可能である。
【００２９】
また、図４（ｂ）に示す実施形態では、香炉本体容器１１２の本体部１１２ａの底部の下側面と脚部１１２ｂとによって形成される空間内に、永久磁石４０がセラミック材料１１２ｄを焼結することにより埋め込まれている。セラミック材料の代わりに、接着剤等により永久磁石４０を埋め込んでもよい。
図４（ａ），図４（ｂ）に示したように、香炉部１１０の香炉本体容器１１２が非磁性材料で形成されている場合には、永久磁石４０を香炉本体容器１１２に一体的に固定すると好適である。
【００３０】
なお、香炉部の香炉本体容器等が非磁性体である場合に、永久磁石ではなく、磁性材料を香炉本体容器に一体的に固定することにより、香炉本体容器を実質的に磁性体として、図１と同様に別体の永久磁石４０によって、柄本体２１に磁力により取り付けてもよい。
【００３１】
また、図５（ａ）に示す実施形態では、香炉部２１０の香炉本体容器２１２及び内部香炉容器２１６が共に非磁性体である。この場合、永久磁石４０を内部香炉容器２１６内に配置することにより、香炉本体容器２１２の底部及び内部香炉容器２１６の底部を、永久磁石４０と柄本体２１の取付部２２ａとの間に挟み込むことにより、磁力により香炉部２１０と柄本体２１とを一体に取り付けることができる。なお、図５（ａ）の実施形態において、永久磁石４０を内部香炉容器２１６ではなく、香炉本体容器２１２の底部の上側面に配置し、その上に内部香炉容器２１６を載置してもよい。
なお、図５（ａ）の例において、香炉部２１０内に永久磁石４０を配置する代わりに、磁性材料（例えば、鋼板）を配置し、香炉部２１０を実質的に磁性体として、図１と同様に別体の永久磁石４０によって、香炉部２１０を柄本体２１に磁力により取り付けてもよい。
【００３２】
また、図５（ｂ）に示す実施形態は、柄本体１２１及び香炉部２１０が非磁性材料で構成された例を示している。図５（ｂ）では、柄本体１２１の取付部１２２ａ，香炉部２１０内に、それぞれ第１永久磁石４０ａ，第２永久磁石４０ｂを設けている。第１永久磁石４０ａは、取付部１２２ａの上面に接着剤等により固定的に取り付けられている。
なお、図５（ｂ）の例において、第１永久磁石４０ａ，第２永久磁石４０ｂのいずれか一方を永久磁石ではなく磁性材料としてもよい。また、両方を磁性材料として、図１と同様に別体の永久磁石４０を挟み込んで、香炉部２１０を柄本体１２１に磁力により取り付けてもよいし、台座部３０の永久磁石３４の磁力により、磁性体としての柄本体及び香炉部を吸着してもよい。
【００３３】
以上のように、柄本体と香炉部が、磁性材料で形成されるか、非磁性材料で形成されるかによって種々の形態が可能であるが、少なくとも１つの永久磁石を必要とする。形態としては、柄本体と香炉部の両方が磁性体である場合と、一方が磁性体である他方が非磁性体である場合と、両方が非磁性体である場合がある。なお、柄本体及び香炉部の本体部分が非磁性材料で形成されていても、鋼板等の磁性材料を柄本体や香炉部に一体的に固定又は内部に配置すれば、柄本体及び香炉部を磁性体として扱うことができる。
両方が磁性体である場合は、永久磁石を間に挟むか、永久磁石を柄本体と香炉部の一方に配置して他方を磁力で吸着すればよい。また、一方のみが磁性体である場合は、非磁性体の部材に永久磁石を配置して、磁性体の部材を磁力で吸着すればよい。また、両方が非磁性体である場合は、両方に永久磁石を配置すればよく、この場合は永久磁石の使用箇所は２ヶ所必要となる。
また、永久磁石や鋼板等の磁性材料を柄本体又は香炉部に一体的に固定状態にすることも可能であり、別体の部品とすることも可能である。さらには、柄本体と香炉部のそれぞれに永久磁石を固定状態で取り付けておくことも可能である。
【００３４】
次に、図６及び図７を参照して、本発明の第２及び第３実施形態について説明する。
上記実施形態は、柄本体２１がＬ字型に形成されていたが、図６はコの字型の柄本体を有する実施形態であり、図７はクランク型の柄本体を有する実施形態である。
図６に示すように、第２実施形態の柄香炉３０１では、柄３２０が、把持部３２２と、把持部３２２の一端側から下方へ延びる第１脚部３２３と、把持部３２２の他端側から下方へ延びる第２脚部３２４と、把持部３２２の他端側から更に長手方向に第１脚部３２３に対して反対側へ水平方向に延びる延長部３２５とを備えている。
【００３５】
図６の実施形態では、延長部３２５に取付部３２５ａが設けられており、図１の実施形態と同様に、永久磁石４０により香炉部１０が取付部３２５ａに着脱可能に取り付けられている。図６に示すように、柄香炉３０１を床面に配置したとき、第１脚部３２３と第２脚部３２４が床面と当接し、これら脚部３２３，３２４によって把持部３２２が床面とほぼ水平に保持された状態で、柄香炉３０１が安定的に支持される。
【００３６】
また、図７に示すように、第３実施形態の柄香炉４０１では、柄４２０が、把持部４２２と、把持部４２２の一端側から下方へ延びる第１脚部４２３と、把持部４２２の他端側から下方へ延びる第２脚部４２４と、第２脚部４２４の下端側から更に長手方向に第１脚部４２３に対して反対側へ略水平方向に延びる延長部４２５とを備えている。
【００３７】
図７の実施形態では、延長部４２５に取付部４２５ａが設けられており、図１の実施形態と同様に、永久磁石４０により香炉部１０が取付部４２５ａに着脱可能に取り付けられている。図７に示すように、柄香炉４０１を床面に配置したとき、第１脚部４２３と香炉部１０の香炉本体容器１２の脚部１２ａとが床面に当接し、これら脚部４２３，１２ａによって把持部４２２が床面とほぼ水平に保持された状態で、柄香炉４０１が安定的に支持される。
【００３８】
なお、本実施形態では、香炉部１０を延長部４２５の取付部４２５ａの上面に永久磁石４０を介して載置したときに、香炉本体容器１２の脚部１２ａが延長部４２５の下面よりも下方へ突出するため、柄香炉４０１が、第１脚部４２３と脚部１２ａとによって支持される。しかしながら、脚部１２ａが延長部４２５の下面よりも下方へ突出しない程度の長さである場合、又は、香炉本体容器１２が脚部１２ａを備えていない場合には、第１脚部４２３と延長部４２５によって、柄香炉４０１が安定的に支持される。
【００３９】
また、上記実施形態では、柄２０，３２０，４２０の脚部，把持部及び延長部の長さが固定であったが、これに限らず、これらを伸縮自在に構成してもよい。例えば、中空部材を用いて柄を構成し、中空部材を互いに入れ子式にスライド可能とすることにより、柄を伸縮自在にすることができる。
【００４０】
次に、図８を参照して、本発明の第４実施形態を説明する。
図８の実施形態は、図１の実施形態とは異なり、柄と香炉部とを永久磁石ではなく、ボルト及びナットで簡易に取り付ける例である。
図８に示す柄香炉５０１では、香炉部５１０の香炉本体容器５１２の底部中央と、柄５２０の取付部５２２ａと、台座部５３０の軸部５３２及び台座本体５３１の頂部には、それぞれ貫通孔が設けられている。本実施形態では、ボルト５０を香炉本体容器５１２側から貫通孔に差し入れ、柄５２０の取付部５２２ａの貫通孔，台座部５３０の軸部５３２及び台座本体５３１の頂部の貫通孔にそれぞれ通して、台座部５３０の台座本体５３１内に、ボルト５０のネジ先端部を突出させる。そして、ボルト５０の先端部にナット５２を指等でねじ込むことにより、香炉部５１０，柄５２０の取付部５２２ａ，及び台座部５３０を一体に固定することができる。また、ナット５２を取外すことにより、香炉部５１０，柄５２０の取付部５２２ａ，及び台座部５３０を容易に分離することができる。ナット５２は、指でねじ込み及び取り外しが容易となるように、側面に滑り止め溝が設けられていると好適である。
このように、ボルト５０及びナット５２を取付手段として用いることにより、簡易に柄香炉を分解及び組み立てすることができ、また、組み立て状態において、柄５２０に香炉部５１０を安定的にしっかりと固定することができる。
【００４１】
なお、上記実施形態では、香２を配置する内部香炉１５が難燃性材料で形成されているため、香炉本体１１は内部香炉１５の側面を覆い意匠性を与える役割を担っている。したがって、香炉本体１１として、据え置き型の香炉を用いることができるのはもちろんだが、それ以外に、ジュエリーボックス，ピルケース，ファンシーボックスを利用することができる。特に、宗教儀式等の使用目的でない場合は、使用者の好みにより、意匠性のある容器を選択することができる。
また、香炉本体１１は非磁性材料で形成されてもよく、木材、紙、プラスチック、セラミック材料，ガラス，石等で形成することができる。
【符号の説明】
【００４２】
１    柄香炉
１０    香炉部
１１    香炉本体
１２    香炉本体容器
１２ａ  脚部
１５    内部香炉
１６    内部香炉容器
１６ａ  脚部
１９    薫香装置
２０    柄
２１    柄本体
２２    把持部
２２ａ  取付部
２３    脚部
３０    台座部
３１    台座本体
３２    軸部
３３    保持部
３４    永久磁石
４０    永久磁石
１１０    香炉部
１１２    香炉本体容器
１１２ａ  本体部
１１２ｂ  脚部
１２１    柄本体
２１０    香炉部
２１２    香炉本体容器
２１６    内部香炉容器
３０１    柄香炉
３２０    柄
３２２    把持部
３２３    第１脚部
３２４    第２脚部
３２５    延長部
４０１    柄香炉
４２０    柄
４２２    把持部
４２３    第１脚部
４２４    第２脚部
４２５    延長部
５０１    柄香炉
５１０    香炉部
５１２    香炉本体容器
５２０    柄
５３０    台座部
【図１】
2015119753.tif 000003
【図２】
2015119753.tif 000004
【図３】
2015119753.tif 000005
【図４】
2015119753.tif 000006
【図５】
2015119753.tif 000007
【図６】
2015119753.tif 000008
【図７】
2015119753.tif 000009
【図８】
2015119753.tif 000010